(57)【要約】【課題】装飾図柄表示装置の前面に進出した演出用電飾装置が目立つパチンコ遊技機を提供する。【解決手段】演出用電飾装置は、表面に発光部材１５７ａが設けられ、装飾図柄表示装置の前面に進退出する基板１５７と、基板１５７の前面に配設され、前記基板１５７に対して回転し、配光レンズ１５６ａが形成された回転配光部材１５６を有し、回転配光部材１５６の移動による配光レンズの軌跡を基板１５７の表面に投影することでできる軌跡線上に、発光部材１５７ａを配置する。回転配光部材１５６の回転に伴い、発光部材１５７ａと配光レンズ１５６ａが一致すると、配光レンズ１５６ａから集光された演出光が照射される。【選択図】図７
2011130791.tif 000002
【特許請求の範囲】
【請求項１】
装飾図柄表示装置を備え、表面に複数の遊技釘が打ち付けられた遊技盤と、
前記装飾図柄表示装置の前面に進退出する演出用電飾装置とを有し、
前記遊技盤に遊技球を発射して遊技を行うパチンコ遊技機において、
前記演出用電飾装置は、
表面に演出光を発光する発光部材が設けられ、装飾図柄表示装置の前面に進退出する基板と、
前記基板の前方に配設され、前記基板に対して相対動し、配光レンズが形成された移動板を有し、
前記移動板の移動による配光レンズの軌跡を前記基板の表面に投影することでできる軌跡線上に、前記発光部材を配置したことを特徴とするパチンコ遊技機。
【請求項２】
配光レンズの形成部分以外の移動板を半透明とし、配光レンズの形成部分の移動板を透明としたことを特徴とする請求項１に記載のパチンコ遊技機。
【請求項３】
移動板に蒸着金属薄膜層を形成することにより、移動板を半透明としたことを特徴とする請求項２に記載のパチンコ遊技機。
【請求項４】
移動板に、凹凸処理加工部が形成された散光層を設け、
前記散光層の、配光レンズと一致する位置には、前記凹凸処理加工部が形成されていない透光部を形成したことを特徴とする請求項１〜請求項３のいずれかに記載のパチンコ遊技機。
【請求項５】
移動板を回転可能に配設し、配光レンズの移動軌跡円の中心を前記移動板の回転中心と同一にしたことを特徴とする請求項１〜請求項４のいずれかに記載のパチンコ遊技機。
【請求項６】
複数の発光部材を基板上に配設したことを特徴とする請求項５に記載のパチンコ遊技機。
【請求項７】
所定角度をおいて、同心円状に発光部材を配設したことを特徴とする請求項５又は請求項６に記載のパチンコ遊技機。
【請求項８】
発光部材を放射状に配設するとともに、
外側の配光レンズを、内側の配光レンズに対して、所定角度ずらして形成したことを特徴とする請求項７に記載のパチンコ遊技機。
【請求項９】
配光レンズは、基板に対して相対動する発光部材の軌跡上に沿って所定距離形成されていることを特徴とする請求項１〜請求項８のいずれかに記載のパチンコ遊技機。
【請求項１０】
配光レンズは、移動板の表面側から突出している凸レンズであることを特徴とする請求項１〜請求項９に記載のパチンコ遊技機。
【請求項１１】
配光レンズは、移動板の裏面側から突出している凸レンズであることを特徴とする請求項１〜請求項９に記載のパチンコ遊技機。
【請求項１２】
配光レンズは、移動板の表面側に形成された凹レンズであることを特徴とする請求項１〜請求項９に記載のパチンコ遊技機。
【請求項１３】
配光レンズは、移動板の裏面側に形成された凹レンズであることを特徴とする請求項１〜請求項９に記載のパチンコ遊技機。
【発明の詳細な説明】
【技術分野】
【０００１】
本発明は、パチンコ遊技機の演出用電飾装置の改良に関する。
【背景技術】
【０００２】
従来から、特許文献１に示されるように、遊技の進行に応じて装飾図柄表示装置の前面に進出し、回転・発光する演出用電飾装置が知られている。このような演出用電飾装置は、リーチ時等に作動することにより、遊技者に大当たりへの期待感を抱かせる効果がある。
【先行技術文献】
【特許文献】
【０００３】
【特許文献１】特開２００９―１９５３９０号公報
【発明の概要】
【発明が解決しようとする課題】
【０００４】
しかしながら、近年においては、装飾図柄表示装置が大型化し、更に、装飾図柄表示装置で表示する各種演出画像によって、装飾図柄表示装置の前面に進出した演出用電飾装置が目立たないという問題があった。
本発明は、上記問題を解決し、装飾図柄表示装置の前面に進出した演出用電飾装置が目立つパチンコ遊技機を提供する。
【課題を解決するための手段】
【０００５】
上記課題を解決するためになされた請求項１に記載の発明は、
装飾図柄表示装置を備え、表面に複数の遊技釘が打ち付けられた遊技盤と、
前記装飾図柄表示装置の前面に進退出する演出用電飾装置とを有し、
前記遊技盤に遊技球を発射して遊技を行うパチンコ遊技機において、
前記演出用電飾装置は、
表面に演出光を発光する発光部材が設けられ、装飾図柄表示装置の前面に進退出する基板と、
前記基板の前方に配設され、前記基板に対して相対動し、配光レンズが形成された移動板を有し、
前記移動板の移動による配光レンズの軌跡を前記基板の表面に投影することでできる軌跡線上に、前記発光部材を配置したことを特徴とする。
【０００６】
請求項２に記載の発明は、請求項１に記載の発明において、
配光レンズの形成部分以外の移動板を半透明とし、配光レンズの形成部分の移動板を透明としたことを特徴とする。
これにより、遊技者は基板を視認することができず、遊技者に煩雑な印象を与えることがない。
【０００７】
請求項３に記載の発明は、請求項２に記載の発明において、移動板に蒸着金属薄膜層を形成することにより、移動板を半透明としたことを特徴とする。
これにより、発光部材が発光していない状態では、蒸着金属薄膜層で光が反射して、遊技者は基板を全く視認することができないので、遊技者に煩雑な印象を与えることがない。一方で、発光部材が発光した場合には、発光部材から発光される演出光は、蒸着金属薄膜層を透過する。
【０００８】
請求項４に記載の発明は、請求項１〜請求項３に記載の発明において、
移動板に、凹凸処理加工部が形成された散光層を設け、
前記散光層の、配光レンズと一致する位置には、前記凹凸処理加工部が形成されていない透光部を形成したことを特徴とする。
これにより、発光部材から照射される演出光が、散光層の凹凸処理加工部で、複雑に屈折し、回転配光部材全体が淡く発光する。このため、発光部材が配設されている位置のみが強く発光することによる煩雑な印象を遊技者に与えない。
【０００９】
請求項５に記載の発明は、請求項１〜請求項４に記載の発明において、
移動板を回転可能に配設し、配光レンズの移動軌跡円の中心を前記移動板の回転中心と同一にしたことを特徴とする。
これにより、移動板の回転に伴い、一定間隔をおいて、配光レンズの位置が発光部材と一致して、発光部材から発光される演出光が配光レンズから照射されるので、あたかも点滅しているかのように見え、遊技者に強い印象を与えることが可能となる。
【００１０】
請求項６に記載の発明は、請求項５に記載の発明において、
複数の発光部材を基板上に配設したことを特徴とする。
これにより、発光部材と配光レンズとが一致する回数が増大し、より多い頻度で発光部材から発光される演出光が配光レンズから照射されるので、遊技者により強い印象を与えることが可能となる。
【００１１】
請求項７に記載の発明は、請求項５又は請求項６に記載の発明において、
所定角度をおいて、同心円状に発光部材を配設したことを特徴とする。
これにより、同心円状に配設された発光部材が一定間隔をおいて点滅しているように見えるので、遊技者に強い印象を与えることが可能となる。
【００１２】
請求項８に記載の発明は、請求項７に記載の発明において、
発光部材を放射状に配設するとともに、
外側の配光レンズを、内側の配光レンズに対して、所定角度ずらして形成したことを特徴とする。
これにより、内側の配光レンズと発光部材の位置が一致した状態から、移動板が、前記所定角度回転すると、外側の配光レンズと発光部材の位置が一致する。このため、同心円内側の配光レンズから演出光が照射された後、順次、より外側の配光レンズから演出光が照射され、あたかも爆発しているように見え、遊技者に強烈な印象を与えることが可能となる。
【００１３】
請求項９に記載の発明は、請求項８に記載の発明において、
配光レンズは、基板に対して相対動する発光部材の軌跡上に沿って所定距離形成されていることを特徴とする。
これにより、長期間、発光部材と配光レンズの位置が一致し、長期間、配光レンズから演出光が照射される。
【００１４】
請求項１０に記載の発明は、請求項１〜請求項９に記載の発明において、配光レンズは、移動板の表面側から突出している凸レンズであることを特徴とする。
これにより、配光レンズの位置が発光部材と一致すると、前記発光部材から発光される演出光が、前記配光レンズで集光されて遊技者の目に照射され、前記配光レンズが輝くように光って見える。このため、装飾図柄表示装置の前面に進出した回転発光部が目立つ。
【００１５】
請求項１１に記載の発明は、請求項１〜請求項９に記載の発明において、配光レンズは、移動板の裏面側から突出している凸レンズであることを特徴とする。
これにより、配光レンズの位置が発光部材と一致すると、前記発光部材から発光される演出光が、前記配光レンズで集光されて遊技者の目に照射され、前記配光レンズが輝くように光って見える。このため、装飾図柄表示装置の前面に進出した回転発光部が目立つ。
また、回転配光部材の表面側が凹凸しておらず、遊技者に煩雑な印象を与えない。
【００１６】
請求項１２に記載の発明は、請求項１〜請求項９に記載の発明において、配光レンズは、移動板の表面側に形成された凹レンズであることを特徴とする。
これにより、配光レンズの位置が、発光部材と一致した場合には、発光部材から発光された演出光が、配光レンズで拡散され、回転配光部材の前方に照射される。このため、遊技者が多少首を動かした場合であっても、発光部材から発光された演出光が、遊技者の眼球の到達し、前記演出光を視認することができる。
【００１７】
請求項１３に記載の発明は、請求項１〜請求項９に記載の発明において、配光レンズは、移動板の裏面側に形成された凹レンズであることを特徴とする。
これにより、配光レンズの位置が、発光部材と一致した場合には、発光部材から発光された演出光が、配光レンズで拡散され、回転配光部材の前方に照射される。このため、遊技者が多少首を動かした場合であっても、発光部材から発光された演出光が、遊技者の眼球の到達し、前記演出光を視認することができる。
また、回転配光部材の表面側が凹凸しておらず、遊技者に煩雑な印象を与えない。
【発明の効果】
【００１８】
本発明によれば、配光レンズの位置が発光部材と一致すると、前記発光部材から発光される演出光が、移動板の前方に照射され、前記演出光が遊技者に視認される。このため、装飾図柄表示装置の前面に進出した回転発光部が目立つ。
【図面の簡単な説明】
【００１９】
【図１】パチンコ遊技機の正面図である。
【図２】電飾装置が装飾図柄表示装置の前面に進出した状態のパチンコ遊技機の正面図である。
【図３】電飾装置の正面図及び裏面図である。
【図４】回転配光部材及び電飾基板の斜視図である。
【図５】回転配光部材の裏面斜視図である。
【図６】回転発光部の断面図である。
【図７】本発明の作用の説明図である。（第１の実施形態）
【図８】本発明の作用の説明図である。（第２の実施形態）
【図９】本発明の作用の説明図である。（第３の実施形態）
【図１０】第１の別例の配光レンズが形成された回転発光部の断面図である。
【図１１】第２の別例の配光レンズが形成された回転発光部の断面図である。
【図１２】第３の別例の配光レンズが形成された回転発光部の断面図である。
【発明を実施するための形態】
【００２０】
（パチンコ遊技機の構成）
以下に図面を参照しつつ、本発明の好ましい実施の形態（第１の実施形態）を示す。本発明のパチンコ遊技機１は、前面に遊技盤１１０を備える遊技機本体と、この遊技機本体の前面に取り付けられた前面枠２００とから構成されている。前面枠２００はガラス板２０１を保持している。ガラス板２０１を通して、遊技盤１１０が遊技者に視認されるようになっている。
【００２１】
遊技盤１１０の略中央には、ＬＣＤ（Ｌｉｑｕｉｄ  Ｃｒｙｓｔａｌ  Ｄｉｓｐｌａｙ）等の画像表示装置で構成された装飾図柄表示装置１１１が設けられている。装飾図柄表示装置１１１には、それぞれの遊技状態に応じた「動画」が表示されるとともに、後述する第１始動口１１４や第２始動口１１５への遊技球の入賞に伴って、「装飾図柄」の変動表示や、「演出動画」が表示されるようになっている。なお、「装飾図柄」の変動表示は、例えば３つの数字等の「装飾図柄」をそれぞれスクロール表示（変動表示）するとともに、所定時間経過後に前記スクロール表示を停止させて、特定の「装飾図柄」を並列表示する動画である。また、「演出動画」の表示は、前記「装飾図柄」の変動表示とともに、演出動画を重畳して表示したものであり、大当たりに当選するかもしれないという期待感を遊技者に与える動画である。「装飾図柄」の変動中には、あたかも遊技者に現在大当たりの抽選を行っているかの印象を与え、「装飾図柄」の変動停止時には、停止した「装飾図柄」によって、遊技者に大当たりの抽選結果が報知される。
【００２２】
遊技盤１１０の装飾図柄表示装置１１１の周囲は、遊技領域１１２となっていて、多数の遊技釘１１０ａが打ち付けられている。また、遊技領域１１２には、遊技球の落下方向を変化させる風車１１３が設けられている。遊技釘１１０ａや風車１１３によって、遊技球は遊技領域１１２を予測不能に落下するようになっている。
【００２３】
装飾図柄表示装置１１１の下方の遊技領域１１２には、第１始動口１１４、第２始動口１１５が設けられている。第１始動口１１４に遊技球が入賞する度に、「第１特別図柄」の変動が開始し、「第１特別図柄」の抽選が行われる。なお、「第１特別図柄」の抽選結果に応じ、装飾図柄表示装置１１１に「装飾図柄」の変動表示や「演出動画」が表示されるようになっている。
第２始動口１１５に遊技球が入賞する度に、「第２特別図柄」の変動が開始し、「第２特別図柄」の抽選が行われる。抽選結果に応じ、装飾図柄表示装置１１１に「装飾図柄」の変動表示や「演出動画」が表示されるようになっている。
【００２４】
遊技領域１１２には、入賞ゲート１１６が配設されている。遊技球が入賞ゲート１１６を通過すると、「普通図柄」の変動が開始し、可動片１１５ａ（電動チューリップともいう）を一定時間開放させる「普通図柄」の抽選が行われる。可動片１１５ａが閉塞していると、遊技球は第２始動口１１５に入賞しない。一方で、可動片１１５ａが開放すると、遊技盤１１０上を落下する遊技球が第２始動口１１５に入賞し易い状態になる。
【００２５】
遊技盤１１０上には、「特別図柄」の抽選に関係しない複数の一般入賞口１１９が設けられている。一般入賞口１１９に遊技球が入賞すると、所定個数の遊技球が払い戻されるようになっている。
【００２６】
第２始動口１１５の下方の遊技領域１１２には、大入賞口１１７が設けられている。大入賞口１１７は、通常は大入賞口開閉扉１１７ｃによって閉状態に維持され、遊技球の大入賞口１１７への入賞を不可能にしている。一方で、「大当たり遊技状態」が開始すると、大入賞口開閉扉１１７ｃが所定時間又は所定ラウンド開放され、遊技球が大入賞口１１７へ入賞し易い状態となる。大入賞口１１７に遊技球が入賞すると、予め設定された賞球（例えば１５個）が払い戻されるようになっている。
【００２７】
遊技領域１１２の最下部には、いずれの始動口や入賞口に入賞しなかった遊技球を回収する回収口１１８が設けられている。
【００２８】
遊技盤１１０には、演出用電飾装置１５０が設けられている。演出用電飾装置１５０は、
回転・発光する回転発光部１５５（図２に示す）を有している。通常時には、回転発光部１５５は、遊技盤１１０の上部に（装飾図柄表示装置１１１の上方、外側に）位置している。リーチ状態時等には、図２に示されるように、回転発光部１５５が落下して、装飾図柄表示装置１１１の前面に進出し、発光・回転し、遊技者に大当たりへの期待感を与えるようになっている。回転発光部１５５の発光・回転が終了すると、回転発光部１５５は、再び、装飾図柄表示装置１１１の外側に退避するようになっている。
【００２９】
前面枠２００の下部には、手前側に膨出形成された受皿２０３が設けられている。受皿２０３は、貸し出された遊技球、払い戻された賞球、ファウル球を多数収納するものである。前面枠２００の下部には、遊技盤１１０上に遊技球を発射操作するためのハンドル２０２が回動自在に取り付けられている。遊技者がハンドル２０２を回動させると、遊技球が間欠的に発射され、当該遊技球が遊技盤１１０上に配設されたレール１３２、１３３間を上昇して遊技盤１１０の上部位置に達した後に、遊技領域１１２内を落下するようになっている。
【００３０】
（演出用電飾装置の構造）
以下、図３〜図５を用いて、演出用電飾装置１５０の構造について詳細に説明する。なお、図３において、（Ａ）は回転発光部１５５が上方に格納されている状態の演出用電飾装置１５０の正面図、（Ｂ）は（Ａ）の裏面図、（Ｃ）は回転発光部１５５が装飾図柄表示装置１１１の前面に進出した状態の演出用電飾装置１５０の正面図、（Ｄ）は（Ｃ）の裏面図である。図３に示されるように、演出用電飾装置１５０は、基部１５１と、この基部１５１に上下方向にスライド可能に取り付けられたスライドレール１５２と、このスライドレール１５２に上下方向スライド可能に取り付けられた回転発光部１５５とから構成されている。基部１５１は、スライドレール１５２及び回転発光部１５５を、下方に落下させ、或いは、上方に引き上げるための、モータと複数のギアを有している。
【００３１】
回転発光部１５５は、スライドレール１５２に上下方向スライド可能に取り付けられたベース部材１５９と、このベース部材１５９に取り付けられた基板１５７（図４に示す）と、基板１５７の前方に配設され、ベース部材１５９に回転自在に取り付けられた略円盤形状の回転配光部材１５６と、回転配光部材１５６を回転させるモータ１５８（図５に示す）とから構成されている。
【００３２】
図４に示されるように、基板１５７は、円盤形状であり、表面に多数の発光部材１５７ａが配設されている。本実施形態では、発光部材１５７ａは、所定角度をおいて、同心円状に配設されている。本実施形態では、発光部材１５７ａは、赤色、緑色、青色の演出光を照射することができ、これら各色の組み合わせにより広範な色を表現することができるフルカラーＬＥＤ（Ｌｉｇｈｔ  Ｅｍｉｔｔｉｎｇ  Ｄｉｏｄｅ）である。なお、発光部材１５７ａは、赤色、緑色、青色を同時に発光することにより、白色の演出光を発光することができる。基板１５７には、各発光部材１５７ａに直流電流を印加させて、各発光部材１５７ａを発光させるための回路（図示せず）が形成されている。前記回路には、直流電流が印加される。なお、本実施形態では、回転発光部１５５が装飾図柄表示装置１１１の前面に進出している状態では、発光部材１５７ａに常時（途切れること無く）直流電流が印加されるようになっている。
【００３３】
本実施形態では、回転配光部材１５６は、略円盤形状であり、外縁から裏面側に突出した側壁部１５６ｅが形成され、銭貨形状となっている。側壁部１５６ｅが形成された回転配光部材１５６により、基板１５７の前面及び外縁は完全に覆われている。回転配光部材１５６は、ポリカーボネートやアクリル等の樹脂で構成され、着色半透明となっている。本実施形態では、回転配光部材１５６は、茶色や黄金色のような銭貨色となっている。本実施形態では、回転配光部材１５６の表面又は裏面に、ハーフ蒸着によるアルミニウム等の蒸着金属薄膜層１５６ｆ（図６に示す）を形成することにより、回転配光部材１５６を着色半透明にしている。回転配光部材１５６が半透明となっているので、遊技者は、基板１５７を視認することができず、遊技者に煩雑な印象を与えないようになっている。特に、回転配光部材１５６に蒸着金属薄膜層１５６ｆを形成すると、発光部材１５７ａが発光していない状態では、前記蒸着金属薄膜層１５６ｆで光が反射して、遊技者は基板１５７を全く視認することができないが、発光部材１５７ａが発光した場合には、発光部材１５７ａから発光される演出光が、前記蒸着金属薄膜層１５６ｆを透光し、透光部材１５７ａ全体が光って見える。回転配光部材１５６の表面には、配光レンズ１５６ａが形成されている。配光レンズ１５６ａは、半透明で無く、透明となっている。配光レンズ１５６ａは、本実施形態では、ドーム形状の凸レンズである。配光レンズ１５６ａは、回転配光部材１５６に対して相対動する発光部材１５７ａの軌跡と一致する位置に形成されている。言い換えると、回転配光部材１５６の移動による配光レンズ１５６ａの軌跡を、基板１５７の表面に投影することでできる軌跡線上に、発光部材１５７ａが配置されている。配光レンズ１５６ａの移動軌跡円の中心は、回転配光部材１５６の回転中心と同一となっている。なお、ハーフ蒸着により、回転配光部材１５６を半透明にする場合には、配光レンズ１５６ａが形成されている箇所をマスキングしてから、ハーフ蒸着を行う。
【００３４】
図５や図６に示されるように、回転配光部材１５６の裏面には、散光層１５６ｂが形成されている。散光層１５６ｂは、透明であるが、ダイヤカット、シボ、ローレット、磨りガラス状等の凹凸処理加工部１５６ｇ（図６に示す）が形成されている。凹凸処理加工部１５６ｇは、金型加工や二次加工により形成される。なお、配光レンズ１５６ａが形成されている位置と一致する位置の散光層１５６ｂには、凹凸処理加工部１５６ｇが形成されていない透光部１５６ｃが形成されている。各発光部材１５７ａを発光させた場合には、各発光部材１５７ａから照射される演出光が、散光層１５６ｂの凹凸処理加工部１５６ｇで、複雑に屈折し、回転配光部材１５６全体が淡く発光するようになっている。このため、回転配光部材１５６全体が光って見え、回転配光部材１５６が目立つ。なお、回転配光部材１５６に、散光層１５６ｂが形成されていない場合には、発光部材１５７ａが配設されている位置のみが強く発光し、遊技者に煩雑な印象を与えてしまう。なお、散光層１５６ｂをシート状の別体としても差し支えない。この場合には、穴を開けることにより透光部１５６ｃを形成しても差し支えない。なお、回転配光部材１５６には側壁部１５６ｅが形成されているので、各発光部材１５７ａが発光した際に、各発光部材１５７ａから照射される演出光が、回転配光部材１５６の外縁から漏洩しないので、遊技者に煩雑な印象を与えない。
【００３５】
図５に示されるように、回転配光部材１５６の裏面には、ギア部１５６ｄが形成されている。ギア部１５６ｄは、モータ１５８の回転軸に取り付けられた回転ギア１５８ａと噛合している。モータ１５８に駆動電流が印加すると、回転配光部材１５６が回転し、回転配光部材１５６が基板１５７に対して相対動する。なお、モータ１５８は、ベース部材１５９に取り付けられている。
【００３６】
（本発明の作用）
図７を用いて、本発明の作用について説明する。なお、図７において、回転配光部材１５６の表面に形成された文字等を省略して表している。回転発光部１５５が装飾図柄表示装置１１１の前面に進出すると、全ての発光部材１５７ａが発光する。図７の（Ａ）に示されるように、配光レンズ１５６ａの位置が、発光部材１５７ａと一致しない場合には、配光レンズ１５６ａから演出光は放射されず、回転配光部材１５６全体が淡く発光する。回転配光部材１５６が回転して、図７の（Ｂ）や（Ｃ）に示されるように、配光レンズ１５６ａの位置が、発光部材１５７ａと一致した場合には、発光部材１５７ａから発光された演出光が、配光レンズ１５６ａで集光されて、回転配光部材１５６の前方に照射される。遊技者は装飾図柄表示装置１１１（回転発光部１５５）の前方に座っているので、配光レンズ１５６ａで集光された演出光が、遊技者の目に到達し、配光レンズ１５６ａが輝くように光って見える。このため、装飾図柄表示装置１１１の前面に進出した回転発光部１５５が目立つ。
回転する回転配光部材１５６は、一定周期で、配光レンズ１５６ａと発光部材１５７ａの位置が一致するので、遊技者には、回転発光部１５５があたかも点滅しているように見える。また、図７に示される実施形態では、発光部材１５７ａが所定角度をおいて、同心円状に（小円１５７ｂ及びこの小円１５７ｂの外側の大円１５７ｃ上に）に設けられ、小円１５７ｂ上に設けられた発光部材１５７ａと配光レンズ１５６ａが一致する時と、大円１５７ｃ上に設けられた発光部材１５７ａと配光レンズ１５６ａが一致する時が異なるので、複雑に回転発光部１５５が発光しているように見える。勿論、図７の（Ｂ）や（Ｃ）に示される状態であっても、回転配光部材１５６全体は淡く発光する。
【００３７】
（第２の実施形態）
図８を用いて、第１の実施形態と異なる点について第２の実施形態を説明する。第２の実施形態では、発光部材１５７ａは、所定角度をおいて同心円状に、且つ、放射状に、基板１５７上に配設されている。図８に示される実施形態では、配光レンズ１５６ａは、所定角度をおいて同心円状に、発光部材１５７ａと同数形成されている。勿論、配光レンズ１５６ａは、回転配光部材１５６と相対動する発光部材１５７ａの軌跡と一致する位置の回転配光部１５６に形成されている。第２の実施形態では、図８に示されるように、外側の配光レンズ１５６ａを、内側の配光レンズ１５６ａに対して、所定角度θずらして形成している。このため、内側の配光レンズ１５６ａと発光部材１５７ａの位置が一致した状態から（図８の（Ａ）の状態）、回転配光部材１５６が、前記所定角度θ回転すると、図８の（Ｂ）に示されるように、外側の配光レンズ１５６ａと発光部材１５７ａの位置が一致して、外側の配光レンズ１５６ａから演出光が照射される。更に、回転配光部材１５６が、前記所定角度θ回転すると、図８の（Ｃ）に示されるように、更に外側の配光レンズ１５６ａと発光部材１５７ａの位置が一致して、更に外側の配光レンズ１５６ａから演出光が照射される。このように、第２の実施形態では、外側の配光レンズ１５６ａを、内側の配光レンズ１５６ａに対して、所定角度θずらして形成したので、基板１５７上の発光部材１５７ａが常時点灯していたとしても、同心円内側の配光レンズ１５６ａから演出光が照射された後に、順次、より外側の配光レンズ１５６ａから演出光が照射され、あたかも爆発しているように見え、遊技者に強烈な印象を与える。
【００３８】
（第３の実施形態）
図９を用いて、第１の実施形態と異なる点について第３の実施形態を説明する。第３の実施形態では、配光レンズ１５６ａは、回転配光部材１５６に対して相対動する発光部材１５７ａの軌跡上に沿って所定距離形成されている。言い換えると、配光レンズ１５６ａは、回転配光部材１５６に円弧状に形成されている。第３の実施形態では、配光レンズ１５６ａを、相対動する発光部材１５７ａの軌跡上に沿って所定距離形成したので、図９の（Ｂ）〜（Ｄ）に示されるように、長期間、発光部材１５７ａと配光レンズ１５６ａの位置が一致し、長期間、配光レンズ１５６ａから演出光が照射される。
【００３９】
（第１の別例の配光レンズが形成された実施形態）
図１０を用いて、第１の別例の配光レンズ１５６ｈが形成された実施形態について説明する。この実施形態では、回転配光部材１５６の裏面側に、凸レンズの配光レンズ１５６ｈが形成されている。なお、この実施形態では、透光部１５６ｃは空間となっていて、透光部１５６ｃに配光レンズ１５６ｈが突出している。この実施形態も、第１の実施形態と同様に、配光レンズ１５６ｈの位置が、発光部材１５７ａと一致した場合には、発光部材１５７ａから発光された演出光が、配光レンズ１５６ｈで集光されて、回転配光部材１５６の前方に照射される。このように、回転配光部材１５６の裏面側に、配光レンズ１５６ｈを形成したので、回転配光部材１５６の表面側が凹凸しておらず、遊技者に煩雑な印象を与えない。更に、回転配光部材１５６の表面のデザインの自由度が高くなる。
【００４０】
（第２の別例の配光レンズが形成された実施形態）
図１１を用いて、第２の別例の配光レンズ１５６ｉが形成された実施形態について説明する。この実施形態では、回転配光部材１５６の表面側に、凹レンズの配光レンズ１５６ｉが形成されている。この実施形態では、配光レンズ１５６ｉの位置が、発光部材１５７ａと一致した場合には、発光部材１５７ａから発光された演出光が、配光レンズ１５６ｉで拡散され、回転配光部材１５６の前方に照射される。このため、遊技者が多少首を動かした場合であっても、発光部材１５７ａから発光された演出光が、遊技者の眼球の到達し、前記演出光を視認することができる。
【００４１】
（第３の別例の配光レンズが形成された実施形態）
図１２を用いて、第３の別例の配光レンズ１５６ｊが形成された実施形態について説明する。この実施形態は、回転配光部材１５６の裏面側に、凹レンズの配光レンズ１５６ｊを形成した実施形態である。この実施形態では、透光部１５６ｃは空間となっていて、透光部１５６ｃに配光レンズ１５６ｊが開口している。この実施形態では、配光レンズ１５６ｊの位置が、発光部材１５７ａと一致した場合には、発光部材１５７ａから発光された演出光が、配光レンズ１５６ｊで拡散され、回転配光部材１５６の前方に照射される。このため、遊技者が多少首を動かした場合であっても、発光部材１５７ａから発光された演出光が、遊技者の眼球の到達し、前記演出光を視認することができる。このように、回転配光部材１５６の裏面側に、配光レンズ１５６ｊを形成したので、回転配光部材１５６の表面側が凹凸しておらず、遊技者に煩雑な印象を与えない。更に、回転配光部材１５６の表面のデザインの自由度が高くなる。
【００４２】
（総括）
図に示される実施形態では、発光部材１５７ａを、一定角度をおいて、基板１５７上に配設しているが、同一円上にある発光部材１５７ａを、異なる角度をおいて（例えば６０°の次が３０°）基板１５７上に配設しても差し支えない。
以上説明した実施形態では、回転配光部材１５６は円盤形状であるが、回転配光部材１５６は楕円形状、星形形状、三角形状、四角形状等であっても差し支えない。
以上説明では、略円盤形状の回転配光部材１５６が回転動する実施形態について本発明を説明したが、直線動する移動板の、相対動する発光部材の軌跡上に、配光レンズを形成した実施形態にも、本発明の技術的思想が適用可能であることは言うまでもない。
以上説明した実施形態では、発光部材１５７ａはＬＥＤであるが、発光部材１５７ａはＬＥＤに限定されず、フィラメントを有する電球、放電により発光する発光管であっても差し支えない。
【００４３】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うパチンコ遊技機もまた技術的範囲に包含されるものとして理解されなければならない。      
【符号の説明】
【００４４】
１        パチンコ遊技機
１１０    遊技盤
１１０ａ  遊技釘
１１１    装飾図柄表示装置
１１２    遊技領域
１１３    風車
１１４    第１始動口
１１５    第２始動口
１１５ａ  可動片
１１６    入賞ゲート
１１７    大入賞口
１１７ｃ  大入賞口開閉扉
１１８    回収口
１１９    一般入賞口
１３２、１３３  レール
１５０    演出用電飾装置
１５１    基部
１５２    スライドレール
１５５    回転発光部
１５６    回転配光部材
１５６ａ  配光レンズ
１５６ｂ  散光層
１５６ｃ  透光部
１５６ｄ  ギア部
１５６ｅ  側壁部
１５６ｆ  蒸着金属薄膜層
１５６ｇ  凹凸処理加工部
１５６ｈ  配光レンズ（第１の別例）
１５６ｉ  配光レンズ（第２の別例）
１５６ｊ  配光レンズ（第３の別例）
１５７    基板
１５７ａ  発光部材
１５７ｂ  小円
１５７ｃ  大円
１５８    モータ
１５８ａ  回転ギア
１５９    ベース部材
２００    前面枠
２０１    ガラス板
２０２    ハンドル
２０３    受皿
【図１】
2011130791.tif 000003
【図２】
2011130791.tif 000004
【図３】
2011130791.tif 000005
【図４】
2011130791.tif 000006
【図５】
2011130791.tif 000007
【図６】
2011130791.tif 000008
【図７】
2011130791.tif 000009
【図８】
2011130791.tif 000010
【図９】
2011130791.tif 000011
【図１０】
2011130791.tif 000012
【図１１】
2011130791.tif 000013
【図１２】
2011130791.tif 000014